(57)【要約】  【課題】  広い周波数帯域を有する２つの電気信号を良好に分波することが可能な分波器ならびにそれを用いた無線通信モジュールおよび無線通信機器を提供する。  【解決手段】  入力端子11，第１の出力端子12ａ，第２の出力端子12ｂと、入力段の共振器13ａに電磁界結合し入力端子11および第１の出力端子12ａの間を接続する第１の線路導体14ａと、第１の線路導体14ａおよびグランドの間を接続するキャパシタ15ａと、出力段の共振器13ｂに電磁界結合し第２の出力端子12ｂに接続された第２の線路導体14ｂとを備え、第１の線路導体14ａおよびキャパシタ15ａによりローパスフィルタが構成されており、第１の線路導体14ａ，第２の線路導体14ｂおよび複数の共振器によりバンドパスフィルタが構成された分波器である。移相回路が不要なので、広い周波数帯域を有する２つの信号を良好に分波することが可能な分波器である。【選択図】  図１
2010081292.tif 000002
【特許請求の範囲】
【請求項１】
入力端子と、第１の出力端子と、第２の出力端子と、互いに電磁気的に結合するとともに入力段の共振器および出力段の共振器を有する複数の共振器と、前記入力段の共振器に電磁気的に結合するとともに前記入力端子および前記第１の出力端子の間を接続する第１の線路導体と、該第１の線路導体およびグランドの間を接続するキャパシタと、前記出力段の共振器に電磁気的に結合するとともに前記第２の出力端子に接続された第２の線路導体とを備え、前記第１の線路導体および前記キャパシタによってローパスフィルタが構成されているとともに、前記第１の線路導体，前記第２の線路導体および前記複数の共振器によって前記ローパスフィルタの通過帯域外の周波数領域に通過帯域を有するバンドパスフィルタが構成されていることを特徴とする分波器。
【請求項２】
請求項１に記載の分波器を備えることを特徴とする無線通信モジュール。
【請求項３】
請求項１に記載の分波器を含むＲＦ部と、該ＲＦ部に接続されたベースバンド部と、前記ＲＦ部に接続されたアンテナとを備えることを特徴とする無線通信機器。
【発明の詳細な説明】
【技術分野】
【０００１】
本発明は、分波器ならびにそれを用いた無線通信モジュールおよび無線通信機器に関するものであり、特に、広い周波数帯域を有する２つの信号を分波することが可能な分波器ならびにそれを用いた無線通信モジュールおよび無線通信機器に関するものである。
【背景技術】
【０００２】
互いに周波数の異なる電気信号を周波数に応じて分波することが可能な分波器は、通信装置におけるアンテナ共用器等に広く用いられており、例えば、入力端子と第１の出力端子とをローパスフィルタを介して接続するとともに、入力端子と第２の出力端子とをハイパスフィルタを介して接続した構成を備え、周波数が低い方である第１周波数帯域の電気信号をローパスフィルタを介して第１の出力端子から出力し、周波数が高い方の第２周波数帯域の電気信号をハイパスフィルタを介して第２の出力端子から出力する機能を有するものが知られている（例えば、特許文献１を参照。）。特許文献１にて提案された従来の分波器においては、入力端子とローパスフィルタとの間および入力端子とハイパスフィルタとの間にそれぞれ移相回路が挿入されている。これらの移相回路により、第１周波数帯域における入力端子から第２の出力端子側を見たインピーダンスおよび第２周波数帯域における入力端子から第１出力端子側を見たインピーダンスをそれぞれ無限大に近づけることによって、第１周波数帯域の電気信号の第２の出力端子からの漏洩および第２周波数帯域の電気信号の第１の出力端子からの漏洩を防止している。
【特許文献１】特開2000−244208号公報
【発明の開示】
【発明が解決しようとする課題】
【０００３】
しかしながら、特許文献１にて提案された従来の分波器は問題点を有しており、広帯域な特性を得ることが困難であった。すなわち、従来の分波器が備える移相回路は、１／４波長線路に代表されるように、特定の周波数の電気信号の位相を所望の値だけシフトさせることができるものである。よって、第１周波数帯域および第２周波数帯域が非常に広い場合には、入力端子から第２の出力端子側を見たインピーダンスを第１周波数帯域の全体に渡って無限大に近づけることは困難であり、また、入力端子から第１出力端子側を見たインピーダンスを第２周波数帯域の全体に渡って無限大に近づけることも困難であるため、第１周波数帯域の電気信号の第２の出力端子からの漏洩および第２周波数帯域の電気信号の第１の出力端子からの漏洩が大きくなり、良好に分波できないという問題を有していた。
【０００４】
本発明はこのような従来の技術における問題点に鑑みて案出されたものであり、その目的は、広い周波数帯域を有する２つの電気信号を良好に分波することが可能な分波器ならびにそれを用いた無線通信モジュールおよび無線通信機器を提供することにある。
【課題を解決するための手段】
【０００５】
本発明の分波器は、入力端子と、第１の出力端子と、第２の出力端子と、互いに電磁気的に結合するとともに入力段の共振器および出力段の共振器を有する複数の共振器と、前記入力段の共振器に電磁気的に結合するとともに前記入力端子および前記第１の出力端子の間を接続する第１の線路導体と、該第１の線路導体およびグランドの間を接続するキャパシタと、前記出力段の共振器に電磁気的に結合するとともに前記第２の出力端子に接続された第２の線路導体とを備え、前記第１の線路導体および前記キャパシタによってローパスフィルタが構成されているとともに、前記第１の線路導体，前記第２の線路導体および前記複数の共振器によって前記ローパスフィルタの通過帯域外の周波数領域に通過帯域を有するバンドパスフィルタが構成されていることを特徴とするものである。
【０００６】
本発明の無線通信モジュールは、上記本発明の分波器を備えることを特徴とするものである。
【０００７】
本発明の無線通信機器は、上記本発明の分波器を含むＲＦ部と、該ＲＦ部に接続されたベースバンド部と、前記ＲＦ部に接続されたアンテナとを備えることを特徴とするものである。
【０００８】
なお、「第１の線路導体およびキャパシタによってローパスフィルタが構成されている」とは、第１の線路導体およびキャパシタがローパスフィルタの構成要素となっており、これらの構成要素を用いてローパスフィルタが構成されていることを意味するものである。よって当然のことながら、第１の線路導体およびキャパシタのみによりローパスフィルタが構成されている場合のみならず、他の構成要素を含んでローパスフィルタが構成されている場合も含むものである。「第１の線路導体，第２の線路導体および複数の共振器によってローパスフィルタの通過帯域外の周波数領域に通過帯域を有するバンドパスフィルタが構成されている」も同様である。
【発明の効果】
【０００９】
本発明の分波器は、入力端子と、第１の出力端子と、第２の出力端子と、互いに電磁気的に結合するとともに入力段の共振器および出力段の共振器を有する複数の共振器と、入力段の共振器に電磁気的に結合するとともに入力端子および第１の出力端子の間を接続する第１の線路導体と、第１の線路導体およびグランドの間を接続するキャパシタと、出力段の共振器に電磁気的に結合するとともに第２の出力端子に接続された第２の線路導体とを備え、第１の線路導体およびキャパシタによってローパスフィルタが構成されているとともに、第１の線路導体，第２の線路導体および複数の共振器によってローパスフィルタの通過帯域外の周波数領域に通過帯域を有するバンドパスフィルタが構成されている。このような構成を備える本発明の分波器によれば、入力端子および第１の出力端子の間を接続する第１の線路導体は、ローパスフィルタを構成するインダクタとして機能するとともに、入力段の共振器と電磁気的に結合してバンドパスフィルタにおける電気信号入力用電極としても機能することから、移相回路を用いることなく分波回路を構成できるので、広い周波数帯域を有する２つの信号を良好に分波することが可能な分波器を得ることができる。
【００１０】
本発明の無線通信モジュールおよび本発明の無線通信機器によれば、通信に使用する２つの広い周波数帯域の全体に渡って電気信号の漏洩が少ない本発明の分波器を受信信号の分波に用いることにより、分波器を通過する受信信号の減衰が少なくなるので、受信感度が高い高性能な無線通信モジュールおよび無線通信機器を得ることができる。
【発明を実施するための最良の形態】
【００１１】
以下、本発明の分波器ならびにそれを用いた無線通信モジュールおよび無線通信機器を添付の図面を参照しつつ詳細に説明する。
【００１２】
（実施の形態の第１の例）
図１は本発明の分波器の実施の形態の第１の例を示す回路図である。本例の分波器は、図１に示すように、入力端子11と、第１の出力端子12ａと、第２の出力端子12ｂと、一方端が接地された１／４波長共振器からなり、互いに電磁気的に結合する入力段の共振器13ａおよび出力段の共振器13ｂと、入力段の共振器13ａに電磁気的に結合するとともに入力端子11および第１の出力端子12ａの間を接続する第１の線路導体14ａと、第１の線路導体14ａおよびグランドの間を接続するキャパシタ15ａと、出力段の共振器13ｂに電磁気的に結合するとともに第２の出力端子12ｂに接続された第２の線路導体14ｂとを備え、第１の線路導体14ａおよびキャパシタ15ａによってローパスフィルタが構成されているとともに、第１の線路導体14ａ，第２の線路導体14ｂおよび複数の共振器によってローパスフィルタの通過帯域外の周波数領域に通過帯域を有するバンドパスフィルタが構成されている。
【００１３】
この様な構成を備える本例の分波器によれば、入力端子11に入力された電気信号は、第１の線路導体14ａおよびキャパシタ15ａによって構成されたローパスフィルタにより、高周波側の電気信号が減衰されて、ローパスフィルタの通過帯域に含まれる周波数の電気信号が第１の出力端子12ａから出力される。また、入力端子11に電気信号が入力されると、第１の線路導体14ａと電磁気的に結合する入力段の共振器13ａが励振されることによって、相互に電磁気的に結合する入力段の共振器13ａおよび出力段の共振器13ｂが共振し、出力段の共振器13ｂと電磁気的に結合する第２の線路導体14ｂを介して第２の出力端子12ｂから電気信号が出力される。このとき、第１の線路導体14ａ，入力段の共振器13ａ，出力段の共振器13ｂおよび第２の線路導体14ｂによって構成されたバンドパスフィルタの通過帯域となる、入力段の共振器13ａおよび出力段の共振器13ｂが共振する周波数を含む周波数帯域の電気信号が選択的に通過する。このバンドパスフィルタの通過帯域はローパスフィルタの通過帯域外の周波数領域に位置するように設定されているため、入力端子11に入力された電気信号のうち、ローパスフィルタの通過帯域内の電気信号は第１の出力端子12ａから出力されるとともに、バンドパスフィルタの通過帯域内の電気信号は第２の出力端子12ｂから出力されて、分波器として機能する。
【００１４】
また、本例の分波器によれば、入力端子11および第１の出力端子12ａの間を接続する第１の線路導体14ａは、ローパスフィルタを構成するインダクタとして機能するとともに、入力段の共振器13ａと電磁気的に結合してバンドパスフィルタにおける電気信号入力用電極としても機能することから、移相回路を用いることなく分波回路を構成できるので、広い周波数帯域を有する２つの信号を良好に分波することが可能な分波器を得ることができる。
【００１５】
（実施の形態の第２の例）
図２は本発明の分波器の実施の形態の第２の例を示す回路図である。なお、本例においては前述した第１の例と異なる点のみについて説明し、同様の構成要素については同一の参照符号を用いて重複する説明を省略する。
【００１６】
本例の分波器においては、図２に示すように、第１の線路導体14ａと第１の出力端子12ａとの間に第３の線路導体14ｃが挿入されており、第３の線路導体14ｃおよびグランドの間をキャパシタ15ｂが接続している。また、入力段の共振器13ａの開放端とグランドの間がキャパシタ15ｃで接続されており、出力段の共振器13ｂの開放端とグランドとの間がキャパシタ15ｄで接続されている。
【００１７】
このような構成を備える本例の分波器によれば、入力端子11と第１の出力端子12ａとを接続するローパスフィルタが第１の線路導体14ａ，キャパシタ15ａ，第３の線路導体14ｃおよびキャパシタ15ｂにより構成される２段構成のローパスフィルタであるため、ローパスフィルタの周波数選択性を向上させることができるので、より良好な分波特性を有する分波器を得ることができる。また、入力段の共振器13ａの開放端がキャパシタ15ｃを介してグランドに接続されており、出力段の共振器13ｂの開放端がキャパシタ15ｄを介してグランドに接続されているので、入力段の共振器13ａおよび出力段の共振器13ｂの長さを短縮することができるので、より小型の分波器を得ることができる。
【００１８】
（実施の形態の第３の例）
図３は本発明の分波器の実施の形態の第３の例を模式的に示す外観斜視図である。図４は図３に示す分波器を模式的に示す分解斜視図である。図５は図３に示す分波器の上下面および層間を模式的に示す平面図である。なお、本例においては前述した第２の例と異なる点のみについて説明し、同様の構成要素については同一の参照符号を用いて重複する説明を省略する。
【００１９】
本例の分波器は、図２の回路図に示した実施の形態の第２の例の分波器を誘電体中に構成したものであり、図３〜図５に示すように、複数の誘電体層を積層してなる積層体20中に分波器を構成する各種導体が配置されており、積層体20の表面に入力端子11，第１の出力端子12ａ，第２の出力端子12ｂ，グランド端子19となる端子電極が配置されている。
【００２０】
また、本例の分波器においては、積層体20の層間Ｃに一方端が入力端子11となる端子電極に接続された帯状導体21が配置されており、帯状導体21の他方端が誘電体層を貫通する貫通導体51を介して層間Ｄに配置された帯状導体22の一方端に接続されており、帯状導体22の他方端は同じく層間Ｄに配置された帯状導体23の一方端に接続されており、帯状導体23の他方端は貫通導体52を介して積層体20の層間Ｃに配置された帯状導体24の一方端に接続されており、帯状導体24の他方端は貫通導体53を介して層間Ｂに配置された帯状導体25の一方端に接続されており、帯状導体25の他方端は第１の出力端子12ａとなる端子電極に接続されている。ここで、帯状導体21，貫通導体51および帯状導体22によって図２の回路図に示す第１の線路導体14ａが構成されており、帯状導体23，貫通導体52，帯状導体24，貫通導体53および帯状導体25によって図２の回路図に示す第３の線路導体14ｃが構成されている。また、帯状導体22の他方端は貫通導体54を介して層間Ｇに配置された静電容量形成導体27に接続されており、層間Ｈにはグランド端子19に接続された接地導体41が配置されている。静電容量形成導体27は誘電体層を介して接地導体41と対向するように配置されており、静電容量形成導体27と接地導体41との対向部において図２の回路図に示すキャパシタ15ａが形成されている。さらに、層間Ｇには誘電体層を介して接地導体41と対向するように配置された静電容量形成導体26が配置されて第１の出力端子12ａとなる端子電極に接続されており、静電容量形成導体26と接地導体41との対向部において図２の回路図に示すキャパシタ15ｂが形成されている。このようにして、図２の回路図において入力端子11と第１の出力端子12ａとを接続するローパスフィルタが構成されている。
【００２１】
さらに、本例の分波器においては、積層体20の層間Ｄに、誘電体層を介して帯状導体21と対向して電磁界結合するように、一方端がグランド端子19となる端子電極に接続されて図２の等価回路に示す入力段の共振器13ａとして機能する共振導体31が配置されている。また、同じく層間Ｄには、一方端がグランド端子19となる端子電極に接続されて図２の等価回路に示す出力段の共振器13ｂとして機能する共振導体32が、共振導体31とインターデジタル型に電磁界結合するように配置されている。さらに、層間Ｅには、一方端が第２の出力端子12ｂとなる端子電極に接続されて図２の等価回路に示す第２の線路導体14ｂとして機能する帯状導体33が、誘電体層を介して共振導体32と対向してブロードサイドでインターデジタル型に電磁界結合するように配置されている。またさらに、共振導体31の他方端は貫通導体55を介して層間Ｇに配置された静電容量形成導体34に接続されており、層間Ｆには貫通導体56を介して接地導体41に接続された静電容量形成導体35が配置されている。静電容量形成導体34は誘電体層を介して接地導体41および静電容量形成導体35と対向するように配置されており、静電容量形成導体34と接地導体41および静電容量形成導体35との対向部において図２の等価回路に示すキャパシタ15ｃが形成されている。さらにまた、共振導体32の他方端は貫通導体57を介して層間Ｇに配置された静電容量形成導体36に接続されており、層間Ｆには貫通導体58を介して接地導体41に接続された静電容量形成導体37が配置されている。静電容量形成導体36は誘電体層を介して接地導体41および静電容量形成導体37と対向するように配置されており、静電容量形成導体36と接地導体41および静電容量形成導体37との対向部において図２の等価回路に示すキャパシタ15ｄが形成されている。このようにして、図２に示す回路図において入力端子11と第２の出力端子12ｂとを接続するバンドパスフィルタが構成されている。
【００２２】
この様な構成を備える本例の分波器によれば、入力端子11となる端子電極に入力された電気信号を周波数に応じて分波して第１の出力端子12ａとなる端子電極および第２の出力端子12ｂとなる端子電極から出力することができるとともに、複数の誘電体層を積層してなる積層体20中に分波器が構成されているので、小型の分波器を得ることができる。
【００２３】
（実施の形態の第４の例）
図６は本発明の分波器の実施の形態の第４の例を示す回路図である。なお、本例においては前述した第２の例と異なる点のみについて説明し、同様の構成要素については同一の参照符号を用いて重複する説明を省略する。
【００２４】
本例の分波器においては、図６に示すように、第１の線路導体14ａと第３の線路導体14ｃおよびキャパシタ15ａとの間に第４の線路導体14ｄが挿入されており、第４の線路導体14ｄに並列にキャパシタ15ｅが接続されている。また、第１の線路導体14ａおよび第４の線路導体14ｄとグランドとの間を接続する第５の線路導体14ｅが設けられている。さらに、入力端子11と第１の線路導体14ａとの間に第６の線路導体14ｆが挿入されており、入力端子11および第６の線路導体14ｆとグランドとの間を接続するキャパシタ15ｆ設けられている。さらに、第１の線路導体14ａの第１の出力端子12ａ側端部と出力段の共振器13ｂの開放端部とがキャパシタ15ｇによって接続されており、第２の線路導体14ｂの第２の出力端子12ｂに接続されていない側端部と入力段の共振器13ａの開放端部とがキャパシタ15ｈによって接続されている。
【００２５】
この様な構成を備える本例の分波器によれば、第１の線路導体14ａと第３の線路導体14ｃとの間に第４の線路導体14ｄおよびキャパシタ15ｅが互いに並列に挿入されていることから、ローパスフィルタの伝送特性において、第４の線路導体14ｄおよびキャパシタ15ｅが並列共振する周波数に減衰極を形成することができるので、分波器の分波特性をさらに向上させることができる。また、入力端子11と第１の線路導体14ａとの間に挿入された第６の線路導体14ｆと、入力端子11および第６の線路導体14ｆとグランドとの間を接続するキャパシタ15ｆと、第１の線路導体14ａおよび第４の線路導体14ｄとグランドとの間を接続する第５の線路導体14ｅとが設けられていることから、入力端子11から分波器を見たインピーダンスを容易に所望の値に設定することが可能となる。さらに、第１の線路導体14ａの第１の出力端子12ａ側端部と出力段の共振器13ｂの開放端部とがキャパシタ15ｇによって接続されており、第２の線路導体14ｂの第２の出力端子12ｂに接続されていない側端部と入力段の共振器13ａの開放端部とがキャパシタ15ｈによって接続されていることから、バンドパスフィルタの伝送特性において減衰極を形成することができるので、分波器の分波特性をさらに向上させることができる。
【００２６】
（実施の形態の第５の例）
図７は本発明の分波器の実施の形態の第５の例を模式的に示す分解斜視図である。図８は図７に示す分波器の層間を模式的に示す平面図である。なお、本例においては前述した第３の例と異なる点のみについて説明し、同様の構成要素については同一の参照符号を用いて重複する説明を省略する。
【００２７】
本例の分波器は、図６の回路図に示した実施の形態の第４の例の分波器を誘電体中に構成したものである。本例の分波器においては、図７，８に示すように、積層体の層間Ｊに一方端が入力端子11となる端子電極に接続された帯状導体61が配置されており、帯状導体61の他方端は誘電体層を貫通する貫通導体91を介して層間Ｋに配置された帯状導体62の一方端に接続されており、帯状導体62の他方端は貫通導体92を介して層間Ｌに配置された帯状導体63の一方端に接続されており、帯状導体63の他方端は貫通導体93を介して層間Ｍに配置された帯状導体64の一方端に接続されている。ここで、帯状導体61，貫通導体91，帯状導体62，貫通導体92，帯状導体63および貫通導体93によって図６の回路図に示す第６の線路導体14ｆが構成されている。
【００２８】
また、帯状導体64の他方端は貫通導体94を介して層間Ｄに配置された帯状導体70の一方端に接続されており、帯状導体70の他方端は貫通導体95を介して層間Ｅに配置された帯状導体71の一方端に接続されており、帯状導体71の他方端は貫通導体96を介して層間Ｎに配置された帯状導体72の一方端に接続されており、帯状導体72の他方端は貫通導体97を介して層間Ｈに配置された接地導体41に接続されている。ここで、帯状導体64によって図６の回路図に示す第１の線路導体14ａが構成されており、貫通導体94，帯状導体70，貫通導体95，帯状導体71，貫通導体96，帯状導体72および貫通導体97によって図６の回路図に示す第５の線路導体14ｅが構成されている。
【００２９】
さらに、帯状導体64の他方端は同じく層間Ｍに配置された帯状導体105の一方端に接続されており、帯状導体105の他方端は貫通導体98を介して層間Ｆに配置された静電容量形成導体73に接続されている。静電容量形成導体73は層間Ｇに配置された静電容量形成導体27に誘電体層を介して対向するように配置されており、静電容量形成導体73と静電容量形成導体27との間で図６の回路図に示すキャパシタ15ｅが構成されている。また、帯状導体105の他方端は同じく層間Ｍに配置された帯状導体65の一方端に接続されており、帯状導体65の他方端は貫通導体99を介して層間Ｄに配置された帯状導体66の一方端に接続されており、帯状導体66の他方端は貫通導体100を介して層間Ｇに配置された静電容量形成導体27に接続されている。静電容量形成導体27は層間Ｈに配置された接地導体41に誘電体層を介して対向するように配置されており、静電容量形成導体27と接地導体41との間で図６の回路図に示すキャパシタ15ａが構成されている。また、帯状導体65，貫通導体99および帯状導体66によって図６の回路図に示す第４の線路導体14ｄが構成されている。
【００３０】
またさらに、帯状導体66の他方端は同じ層間Ｄに配置された帯状導体67の一方端に接続されており、帯状導体67の他方端は貫通導体101を介して層間Ｍに配置された帯状導体68の一方端に接続されており、帯状導体68の他方端は貫通導体102を介して層間Ｌに配置された帯状導体69の一方端に接続されており、帯状導体69の他方端は第１の出力端子12ａとなる端子電極に接続されている。ここで、帯状導体67，貫通導体101，帯状導体68，貫通導体102および帯状導体69によって図６の回路図に示す第３の線路導体14ｃが構成されている。また、層間Ｇには誘電体層を介して接地導体41と対向するように配置された静電容量形成導体26が配置されて第１の出力端子12ａとなる端子電極に接続されており、静電容量形成導体26と接地導体41との対向部において図６の回路図に示すキャパシタ15ｂが形成されている。このようにして、図６の回路図において入力端子11と第１の出力端子12ａとを接続するローパスフィルタが構成されている。
【００３１】
さらにまた、本例の分波器においては、積層体20の層間Ｍに、帯状導体64に接続された静電容量形成導体103が、層間Ｄに配置された共振導体32の開放端側に誘電体層を介して対向するように配置されている。この静電容量形成導体103と共振導体32との対向部において、図６の回路図に示すキャパシタ15ｇが形成されている。また、層間Ｅに、帯状導体33に接続された静電容量形成導体104が、層間Ｄに配置された共振導体31の開放端側に誘電体層を介して対向するように配置されている。この静電容量形成導体104と共振導体31との対向部において、図６の回路図に示すキャパシタ15ｈが形成されている。
【００３２】
この様な構成を備える本例の分波器によれば、図６の回路図に示す、ローパスフィルタの伝送特性およびバンドパスフィルタの伝送特性においてそれぞれ通過帯域外に減衰極が形成された、選択性が良好な優れた分波特性を備える分波器を、複数の誘電体層を積層してなる積層体中に構成されているので、小型で高性能な分波器を得ることができる。
【００３３】
（実施の形態の第６の例）
図９は本発明の分波器を用いた無線通信モジュール80および無線通信機器85の構成例を示すブロック図である。
【００３４】
本発明の無線通信モジュール80は、例えば、ベースバンド信号が処理されるベースバンド部81と、ベースバンド部81に接続されベースバンド信号の変調後および復調前のＲＦ信号が処理されるＲＦ部82とを備えている。
【００３５】
ＲＦ部82には前述の本発明の分波器821が含まれており、ベースバンド信号が変調されてなるＲＦ信号または受信したＲＦ信号における通信帯域以外の信号を分波器821によって減衰させている。
【００３６】
具体的な構成としては、ベースバンド部81にはベースバンドＩＣ  811が配置され、ＲＦ部82には分波器821とベースバンド部81との間にＲＦ  ＩＣ  822が配置されている。なお、これらの回路間には別の回路が介在していてもよい。
【００３７】
そして、無線通信モジュール80の分波器821にアンテナ84を接続することによってＲＦ信号の送受信がなされる本発明の無線通信機器85が構成される。
【００３８】
このような構成を有する本発明の無線通信モジュール80および無線通信機器85によれば、使用する周波数帯域の全体に渡って信号の漏洩が少なくアイソレーションが良好な本発明の分波器821を送信信号および受信信号の分波に用いることにより、分波器821を通過する受信信号および送信信号の減衰が少なくなるとともにノイズも減少する。このため、受信感度が向上するとともに送信信号および受信信号の増幅度を小さくできるため増幅回路における消費電力が少なくなる。よって受信感度が高く消費電力が少ない高性能な無線通信モジュール80および無線通信機器85を得ることができる。
【００３９】
前述した実施の形態の第３の例および第５の例の分波器のように、本発明の分波器を複数の誘電体層を積層した積層体20中に形成する場合には、積層体20を構成する誘電体層の材質としては、例えばエポキシ樹脂等の樹脂や例えば誘電体セラミックス等のセラミックスを用いることができる。例えば、ＢａＴｉＯ３，Ｐｂ４Ｆｅ２Ｎｂ２Ｏ１２，ＴｉＯ２等の誘電体セラミック材料と、Ｂ２Ｏ３，ＳｉＯ２，Ａｌ２Ｏ３，ＺｎＯ等のガラス材料とからなり、800〜1200℃程度の比較的低い温度で焼成が可能なガラス−セラミック材料が好適に用いられる。また、誘電体層の厚みとしては、例えば0.01〜0.1ｍｍ程度に設定される。
【００４０】
また、前述した各種の導体，端子電極および貫通導体の材質としては、例えば、Ａｇ，Ａｇ−Ｐｄ，Ａｇ−Ｐｔ等のＡｇ合金を主成分とする導電材料やＣｕ系，Ｗ系，Ｍｏ系，Ｐｄ系導電材料等が好適に用いられる。各種の導体の厚みは、例えば0.001〜0.2ｍｍに設定される。
【００４１】
さらに、本発明の分波器を複数の誘電体層を積層した積層体20中に形成する場合には、例えば次のようにして作製することができる。まず、セラミック原料粉末に適当な有機溶剤等を添加・混合して泥漿を作製するとともに、ドクターブレード法によってセラミックグリーンシートを形成する。次に、得られたセラミックグリーンシートにパンチングマシーン等を用いて貫通導体を形成するための貫通孔を形成し、Ａｇ，Ａｇ−Ｐｄ，Ａｕ，Ｃｕ等の導体を含む導体ペーストを充填するとともにセラミックグリーンシートの表面に印刷法を用いて前述したのと同様の導体ペーストを塗布して導体ペースト付きセラミックグリーンシートを作製する。次に、これらの導体ペースト付きセラミックグリーンシートを積層し、ホットプレス装置を用いて圧着し、800℃〜1050℃程度のピーク温度で焼成することにより作製される。
【００４２】
（変形例）
本発明は前述した実施の形態の第１〜第７の例に限定されるものではなく、本発明の要旨を逸脱しない範囲において種々の変更，改良が可能である。
【００４３】
例えば、前述した実施の形態の第１〜第６の例においては、本発明の分波器を構成する共振器として帯状の１／４波長共振器を利用した例を示したが、本発明の分波器における共振器としては、第１の線路導体14ａに電磁気的に結合して励振されるとともに、第２の線路導体14ｂに電磁気的に結合して第２の線路導体14ｂから電気信号が出力されるものであればよい。よって、例えば、マイクロストリップ線路やストリップ線路等を用いた１／４波長共振器，１／２波長共振器およびリング共振器等の線路状共振器、デュアルモード方形共振器等ならびにデュアルモード円形共振器等の平面共振器や、円柱，直方体およびリング状等の形状を有する誘電体共振器ならびに同軸共振器等の立体共振器等を使用することができる。
【００４４】
また、本発明の分波器を構成する第１の線路導体14ａとしては、入力段の共振器13ａと電磁気的に結合して励振することができるとともに、ある程度の自己インダクタンスを有してローパスフィルタの一部を構成できるものであればよく、第２の線路導体14ｂとしては、出力段の共振器13ｂと電磁気的に結合しで電気信号を取り出すことができるものであればよく、その他の線路導体としては、ある程度の自己インダクタンスを有するものであればよいため、ストリップ線路，マイクロストリップ線路およびコプレーナ線路等の帯状導体や、スルーホール，ヴィアホール等の誘電体中に形成された空洞の内壁を導体材料で被覆したもの等を好適に使用することができる。
【００４５】
さらに、本発明の分波器は、入力端子に入力された電気信号を周波数に応じて第１の出力端子または第２の出力端子から出力する機能を有するものであるが、第１の出力端子および第２の出力端子からそれぞれ入力された信号を合波して入力端子から出力する合波器として用いても良いことは言うまでもない。
【実施例】
【００４６】
次に、本発明の分波器の具体例について説明する。
【００４７】
図３〜図５に示した本発明の実施の形態の第３の例の分波器の電気特性を有限要素法を用いたシミュレーションによって算出した。算出条件としては、誘電体層の比誘電率は9.45とし、貫通導体以外の各種導体の厚みは0.01ｍｍとし、帯状導体の幅および貫通導体の直径は0.1ｍｍとした。第１の線路導体14ａを構成する帯状導体21，貫通導体51および帯状導体22を合わせた長さは7.15ｍｍとし、第３の線路導体14ｃを構成する帯状導体23，貫通導体52，帯状導体24，貫通導体53および帯状導体25を合わせた長さは5.7ｍｍとした。共振導体31は幅が0.45ｍｍで長さが2.2ｍｍの略矩形状とし、共振導体32は幅が0.46ｍｍで長さが2.35ｍｍの略矩形状とし、帯状導体33は幅が0.5ｍｍで長さが2.4ｍｍの略矩形状とした。静電容量形成導体26は一辺が0.45ｍｍの略正方形状とし、静電容量形成導体27は幅が0.65ｍｍで長さが1.1ｍｍの矩形状とし、静電容量形成導体34は幅が1.88ｍｍで長さが2.2ｍｍの矩形状とし、静電容量形成導体35は幅が0.33ｍｍで長さが0.9ｍｍの略矩形状とし、静電容量形成導体36は幅が0.5ｍｍで長さが0.91ｍｍの略矩形状とし、静電容量形成導体37は幅が0.51ｍｍで長さが0.6ｍｍの略矩形状とした。層間Ｆと層間Ｇとの間隔および層間Ｇと層間Ｈとの間隔（それぞれの層間に配置された導体の間隔）はそれぞれ0.04ｍｍとした。
【００４８】
図９はそのシミュレーション結果を示すグラフである。グラフにおいて、横軸は周波数，縦軸は減衰量を表しており、入力端子11をポート１、第１の出力端子12ａをポート２、第３の出力端子をポート３としたときの分波器の通過特性（Ｓ21，Ｓ31）を示している。図９に示すグラフによれば、比帯域で20％を超える２つの広い通過帯域の全体に渡って低損失な通過特性が得られているとともに、相手側の通過帯域に相当する周波数において−20ｄＢを超える充分な減衰量が得られており、広い通過帯域の全体に渡って相手側への信号の漏洩が抑制された優れた分波特性が得られていることがわかり、本発明の有効性が確認できた。
【００４９】
また、同様に、図７，８に示した本発明の実施の形態の第５の例の分波器における電気特性のシミュレーション結果を図11に示す。図11に示すグラフによれば、Ｓ21とＳ31の２つの通過特性のそれぞれにおいて、通過帯域の近傍に減衰極が形成されており、通過帯域近傍の減衰量の変化が大きく周波数選択性が優れた、さらに良好な分波特性が得られていることがわかる。
【図面の簡単な説明】
【００５０】
【図１】本発明の分波器の実施の形態の第１の例を模式的に示す回路図である。
【図２】本発明の分波器の実施の形態の第２の例を模式的に示す回路図である。
【図３】本発明の分波器の実施の形態の第３の例を模式的に示す外観斜視図である。
【図４】図３に示す分波器の模式的な分解斜視図である。
【図５】図３に示す分波器の層間を模式的に示す平面図である。
【図６】本発明の分波器の実施の形態の第４の例を模式的に示す回路図である。
【図７】本発明の分波器の実施の形態の第５の例を模式的に示す分解斜視図である。
【図８】図７に示す分波器の上下面および層間を模式的に示す平面図である。
【図９】本発明の分波器を備える無線通信モジュールおよび無線通信機器の例を模式的に示すブロック図である。
【図１０】本発明の分波器の実施の形態の第３の例の電気特性のシミュレーション結果を示す図である。
【図１１】本発明の分波器の実施の形態の第５の例の電気特性のシミュレーション結果を示す図である。
【符号の説明】
【００５１】
11：入力端子
12ａ：第１の出力端子
12ｂ：第２の出力端子
13ａ：入力段の共振器
13ｂ：出力段の共振器
14ａ：第１の線路導体
14ｂ：第２の線路導体
15ａ，15ｂ，15ｃ，15ｄ，15ｄ，15ｅ，15ｆ：キャパシタ
80：無線通信モジュール
81：ベースバンド部
82：ＲＦ部
84：アンテナ
85：無線通信機器
【図１】
2010081292.tif 000003
【図２】
2010081292.tif 000004
【図３】
2010081292.tif 000005
【図４】
2010081292.tif 000006
【図５】
2010081292.tif 000007
【図６】
2010081292.tif 000008
【図７】
2010081292.tif 000009
【図８】
2010081292.tif 000010
【図９】
2010081292.tif 000011
【図１０】
2010081292.tif 000012
【図１１】
2010081292.tif 000013